(57)【特許請求の範囲】
【請求項１】
各住宅用外壁パネルＯＷの最外面及び該最外面から若干室内側に後退した位置に固定された窓枠部材ＷＳの周辺に沿って配設される縦目地シール材ＶＳ及び横目地シール材ＨＳから成る目地シール材において、
前記縦目地シール材ＶＳが、ゴム様弾性材から成る細長ガスケットの縦目地１次シール材ＶＳ1Gとスポンジゴム又は樹脂スポンジ材から成る棒状の縦目地２次シール材ＶＳ2Sを具備して成り、
更に、前記縦目地１次シール材ＶＳ1Gが、前記各住宅用外壁パネルＯＷの最外面に沿った領域と前記窓枠部材ＷＳの周辺に沿った領域間の縦目地水平端部を、水平基板２と該水平基板２の平面に突設した複数対の係止爪３を具備して成るカバー部材１によって被覆されることを特徴とする目地シール材。
【請求項２】
前記カバー部材１が、硬質樹脂材から成ることを特徴とする請求項１に記載の目地シール材。
【発明の詳細な説明】
【０００１】
【発明の属する技術分野】
本発明は各住宅用外壁パネルの対向端面間に画成される縦目地端部の目地シール材に関するものであり、特に窓枠部材周辺から住宅用外壁パネルの外方に向けて延伸する縦目地水平端部の目地シール材に関するものである。
【０００２】
【従来の技術】
図３に示したように、各住宅用外壁パネルＯＷの一部に取り付けられる窓枠部材ＷＳは通常、前記各住宅用外壁パネルＯＷの最外面から若干室内側に後退した位置に固定された後、その周辺の縦目地と横目地を夫々縦目地シール材ＶＳと横目地シール材ＨＳによって密封される。
特に、前記各住宅用外壁パネルＯＷの最外面から若干室内側に後退した位置に固定された前記窓枠部材ＷＳに沿って配設される前記縦目地シール材ＶＳは、丸印で囲んだ各縦目地水平端部ＶＨを介して、前記各住宅用外壁パネルＯＷの最外面に沿って配設される他の縦目地シール材ＶＳと連続する。
【０００３】
従来の縦目地水平端部ＶＨ及びその近傍の縦目地シール材ＶＳは、図３のＡ−Ａ線に沿って切断して示した図４及び図４のＢ−Ｂ線に沿って切断して示した図５のように形成されていた。即ち、前記窓枠部材ＷＳが取り付けられていない縦目地ＶＪには、前記住宅用外壁パネルＯＷの最外面寄りに湿式シール充填材またはコーキング材ＶＳ1Fが、例えば発泡ポリエチレンから成るバッカー材ＶＳ2Pに支持されて充填される一方、前記窓枠部材ＷＳが取り付けられている他の縦目地ＶＪにも、前記窓枠部材ＷＳの最外面寄りに上述したような湿式シール充填材又はコーキング材ＶＳ1Fが、発泡ポリエチレン等から成るバッカー材ＶＳ2Pに支持されて充填されていた。また、前記窓枠部材ＷＳの周辺に配設した横目地ＨＪも、前記縦目地ＶＪと同等の構成を採る横目地シール材ＨＳによって密封されていた。
【０００４】
【発明が解決しようとする課題】
しかしながら、前記縦目地シール材ＶＳ及び横目地シール材ＨＳは、前記湿式シール充填材ＶＳ1Fの充填処理作業に手間取り、且つ熟練を要する問題点があった。そこで前記充填処理作業性を改善するために、横断面形状が略錨状に成形された細長の目地シール・ガスケット材の適用を試みたが、前記縦目地水平端部ＶＨにおいて水平部と垂直部との交差角部に隙間が生じ易く、その結果、密封性と外観を損なう別の欠点を招いてしまった。
【０００５】
本発明は、前述した従来技術の問題点を解消し、目地シール材の充填処理作業性と密封性を向上させることが可能な目地シール材を提供することを目的とするものである。
【０００６】
【課題を解決するための手段】
本発明のかかる目的は、各住宅用外壁パネルの最外面及び該最外面から若干室内側に後退した位置に固定された窓枠部材の周辺に沿って配設される縦目地シール材及び横目地シール材から成る目地シール材において、前記縦目地シール材が、ゴム様弾性材から成る細長ガスケットの縦目地１次シール材とスポンジゴム又は樹脂スポンジ材から成る棒状の縦目地２次シール材を具備して成り、更に、前記縦目地１次シール材が、前記各住宅用外壁パネルの最外面に沿った領域と前記窓枠部材の周辺に沿った領域間の縦目地水平端部を、水平基板と該水平基板の平面に突設した複数対の係止爪を具備して成るカバー部材によって被覆されることを特徴とする目地シール材によって達成される。
【０００７】
更に、本発明のかかる目的は、前記カバー部材が、硬質樹脂材から成ることを特徴とする目地シール材によって達成される。
【０００８】
【作用】
本発明の目地シール材は、前記各住宅用外壁パネルの最外面及び該最外面から若干室内側に後退した位置に固定された前記窓枠部材の周辺に沿って配設される前記縦目地シール材及び横目地シール材から成る前記目地シール材において、前記縦目地シール材が、前記ゴム様弾性材から成る細長ガスケットの縦目地１次シール材と前記スポンジゴム又は樹脂スポンジ材から成る棒状の縦目地２次シール材を具備して成り、更に、前記縦目地１次シール材が、前記各住宅用外壁パネルの最外面に沿った領域と前記窓枠部材の周辺に沿った領域間の縦目地水平端部を、前記水平基板と該水平基板の平面に突設した前記複数対の係止爪を具備して成る前記カバー部材によって被覆されるので、前記縦目地１次シール材が前記湿式シール充填材による充填処理作業性の低下を回避させ、更に前記カバー部材によって前記縦目地水平端部を簡単に且つ確実に被覆する。
【０００９】
更に、本発明のかかる目的は、前記カバー部材が、硬質樹脂材から成るので、前記縦目地内の隙間に圧入した前記複数対の係止爪が前記各住宅用外壁パネルの対向端面に強固に係合して、その脱落が防止される。
【００１０】
【発明の実施の形態】
本発明の目地シール材の一実施態様について、添付した図面に基づき以下に詳述する。図１は、本発明の目地シール材の要部を図４と同様に図３のＡ−Ａ線に沿って切断して示したものであり、図２は、図１のＣ−Ｃ線に沿って切断して示した本発明の目地シール材における縦目地水平端部ＶＨ及びその近傍の構成を示すものである。
各住宅用外壁パネルＯＷの一部に取り付けられる窓枠部材ＷＳは、前述した従来技術のものと同様に、前記各住宅用外壁パネルＯＷの最外面から若干室内側に後退した位置に固定された後、その周辺の縦目地ＶＪと横目地ＨＪを夫々縦目地シール材ＶＳと横目地シール材ＨＳによって密封される。
【００１１】
前記縦目地シール材ＶＳ及び横目地シール材ＨＳは夫々、例えば天然ゴム、エチレン−プロピレンソリッドゴム材、クロロプレンソリッドゴム材、エチレン−プロピレンスポンジゴム材、スチレン系、オレフィン系、塩化ビニル系、ウレタン系等の熱可塑性エラストマー材、又は熱可塑性エラストマー発泡体材等のゴム様弾性材から成り、且つ通常錨状の横断面形状を有する細長ガスケットの縦目地１次シール材ＶＳ1Gと、スポンジゴム又は樹脂スポンジ材から成る棒状の縦目地２次シール材ＶＳ2Sとを具備して成る。
【００１２】
更に、前記縦目地１次シール材ＶＳ1Gは、前記各住宅用外壁パネルＯＷの最外面に沿った垂直領域と前記窓枠部材ＷＳの周辺に沿った垂直領域間の縦目地水平端部ＶＨを、水平基板２と該水平基板２の平面に突設した複数対の係止爪３を具備して成るカバー部材１によって被覆される。
なお、前記縦目地１次シール材ＶＳ1G自体の高い密封性によって、前記縦目地２次シール材ＶＳ2Sを前述した従来のバッカー材ＶＳ2Pのように前記縦目地１次シール材ＶＳ1Gに圧着させる必要がなく、適当に間隔を置いて挿着するので、本発明において前記縦目地シール材ＶＳに形成される縦目地水平端部ＶＨは、前記縦目地ＶＪに連通する可成り広い隙間が生じる。
【００１３】
そこで、前記隙間に前記複数対の係止爪３を弾性変形させながら圧入して、前記水平基板２を前記縦目地１次シール材ＶＳ1Gの両垂直領域の端面あるいは前面に接合させることによって、前記複数対の係止爪３が前記各住宅用外壁パネルＯＷの対向端面に強固に係合して、そこからの脱落が防止され、前記縦目地水平端部ＶＨ全体を前記カバー部材１が被覆することになる。
なお、前記カバー部材１が、例えばアクリロニトリル・エチレンプロピレン・スチレン共重合体、オレフィン系熱可塑性樹脂等の硬質樹脂材から成ることによって、前記複数対の係止爪３の強度も増し、脱落が一層防止される。
【００１４】
【発明の効果】
以上、記述した本発明の目地シール材は、次に記すような新規な効果を奏するものである。即ち、本発明の目地シール材は、前記各住宅用外壁パネルの最外面及び該最外面から若干室内側に後退した位置に固定された前記窓枠部材の周辺に沿って配設される前記縦目地シール材及び横目地シール材から成る前記目地シール材において、前記縦目地シール材が、前記ゴム様弾性材から成る細長ガスケットの縦目地１次シール材と前記スポンジゴム又は樹脂スポンジ材から成る棒状の縦目地２次シール材を具備して成り、更に、前記縦目地１次シール材が、前記各住宅用外壁パネルの最外面に沿った領域と前記窓枠部材の周辺に沿った領域間の縦目地水平端部を、前記水平基板と該水平基板の平面に突設した前記複数対の係止爪を具備して成る前記カバー部材によって被覆されるので、前記縦目地１次シール材が前記湿式シール充填材による充填処理作業性の低下を回避させ、更に前記カバー部材によって前記縦目地水平端部を簡単に且つ確実に被覆することが可能になった。
【００１５】
更に、本発明の目地シール材は、前記カバー部材が、硬質樹脂材から成るので、前記縦目地内の隙間に圧入した前記複数対の係止爪が前記各住宅用外壁パネルの対向端面に一層強固に係合して、その脱落を防止することが可能になった。
【図面の簡単な説明】
【図１】本発明の目地シール材の要部を図３のＡ−Ａ線に沿って切断して示した横断面図である。
【図２】図１のＣ−Ｃ線に沿って切断して示した本発明の目地シール材における縦目地水平端部及びその近傍の横断面図である。
【図３】各住宅用外壁パネルの一部に取り付けられる窓枠部材周辺の縦目地と横目地の配置を示す正面図である。
【図４】従来の目地シール材の要部を図３のＡ−Ａ線に沿って切断して示した横断面図である。
【図５】図４のＣ−Ｃ線に沿って切断して示した従来の目地シール材における縦目地水平端部及びその近傍の横断面図である。
【符号の説明】
ＯＷ    住宅用外壁パネル
ＶＪ    縦目地
ＶＳ    縦目地シール材
ＶＳ1F  従来の縦目地１次シール材
ＶＳ2P  従来の縦目地２次シール材
ＨＪ    横目地
ＨＳ    横目地１次シール材
ＨＳ1F  従来の横目地１次シール材
ＨＳ2P  従来の横目地２次シール材
ＷＳ    窓枠部材
ＶＨ    縦目地水平端部
ＶＳ1G  本発明の縦目地１次シール材
ＶＳ2S  本発明の縦目地２次シール材
ＨＳ1G  本発明の横目地１次シール材
ＨＳ2S  本発明の横目地２次シール材
１      カバー部材
２      水平基板
３      係止爪
【図１】
0003841384.tif 000002
【図２】
0003841384.tif 000003
【図３】
0003841384.tif 000004
【図４】
0003841384.tif 000005
【図５】
0003841384.tif 000006